(57)【要約】【課題】感光性記録媒体を収容する遮光ケースの接合部から進入する光量を大幅に低減させて、感光性記録媒体の感光を阻止し、これにより感光性記録媒体の劣化を防止することができる保管性に優れた感光性記録媒体用遮光ケース、および該遮光ケースに収容された性能劣化のない感光性記録媒体を提供する。【解決手段】感光性記録媒体４が、遮光ケース１０のディスク収容室３に収容され、遮光ケース１０を構成する第１ケース１と第２ケース２の接合部が、少なくとも１回反射して光量が大幅に低減された反射光Ｌでなければ感光性記録媒体４に到達できないように遮光される構成である。【選択図】図３
2007080340.tif 000002
【特許請求の範囲】
【請求項１】
ディスク状の感光性記録媒体を外部から遮光した状態で収容するディスク収容室と、前記感光性記録媒体を前記ディスク収容室から取り出すための開口と、が設けられた感光性記録媒体用遮光ケースであって、
前記感光性記録媒体用遮光ケースを構成する部材の接合部は、前記接合部から前記感光性記録媒体用遮光ケースの内部に進入する光がある場合、少なくとも１回反射した後に前記感光性記録媒体に到達するように遮光されていることを特徴とする感光性記録媒体用遮光ケース。
【請求項２】
略有底箱状の第１ケースと第２ケースとを有し、前記接合部が前記第１ケース第２ケースの端縁全周にそれぞれ設けられた突条同士を接合させて形成されていることを特徴とする請求項１に記載の感光性記録媒体用遮光ケース。
【請求項３】
上記請求項１又は２に記載の前記感光性記録媒体用遮光ケースの前記ディスク収容室に遮光された状態で収容されることを特徴とする感光性記録媒体。
【請求項４】
前記感光性記録媒体は、ホログラム記録媒体であることを特徴とする請求項１から３のいずれか１つに記載の感光性記録媒体用遮光ケースまたは感光性記録媒体。
【発明の詳細な説明】
【技術分野】
【０００１】
本発明は、感光性記録媒体用遮光ケースおよび感光性記録媒体用遮光ケースに収容された感光性記録媒体に関し、特に、感光性録媒体が収容されるディスク収容室を確実に遮光して感光性録媒体の劣化を防止するようにした感光性記録媒体用遮光ケースおよび感光性記録媒体用遮光ケースに収容された感光性記録媒体に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００４】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００５】
【特許文献１】特開２００４―０２９４７６号公報
【特許文献２】特開２００３―３１７４２２号公報
【発明の開示】
【発明が解決しようとする課題】
【０００６】
ホログラム記録媒体は感光性を有するので、裸のまま単体で保管することはできず、一枚ずつカートリッジ内に遮光された状態で収容され、感光が防止された状態で保管されている。また、ホログラム記録媒体を収容するカートリッジは、カートリッジ本体自身やカートリッジ本体とシャッタとの間の遮光及び防塵が適切に行なわれないと、光や塵芥がカ一トリッジ内に進入し、ホログラム記録媒体に悪影響を与えてしまう。しかし、特許文献１には、遮光構造および防塵構造に関する記載がない。
【０００７】
また、特許文献２に記載のカートリッジは、上半体と下半体とからなるカートリッジ本体とシャッタとの間をスポンジ状の遮光材で遮光している。また、上半体と下半体とからなるカートリッジ本体に、シャッタ機構を具備したものが記載されている。しかし、いずれのカートリッジも、上半体と下半体の接合部の遮光構造については記載されていない。従って、上半体と下半体の接合部からの入射光により感光性記録媒体が感光することがあった。
【０００８】
感光性記録媒体が一枚ずつカートリッジ本体に収容されたカートリッジは、取扱いが容易である利点を有するものの、感光性記録媒体を大量に使用する場合には、広い保管場所が必要となる。また、カートリッジの部品費や組付け費を要し、感光性記録媒体を安価に提供し難い問題があった。更に、データが記録された後、定着処理が施された感光性記録媒体は、感光性を失うので、遮光性を有する高価なカートリッジ本体に収容する必要は必ずしもなく、感光性記録媒体への塵埃の付着や損傷を防止できる程度のケースに収容しておけばよい。
【０００９】
換言すれば、感光性記録媒体を大量に使用する環境などにおいては、定着処理前の複数の感光性記録媒体を積層した状態で遮光ケースに一括して収容しておくことで、感光性記録媒体が一枚ずつカートリッジ本体に収容されたカートリッジと比較して感光性記録媒体の費用を低減することができる。しかし、従来、複数の感光性記録媒体を積層して収容できる遮光ケースはなかった。
【００１０】
本発明は、上記事情に鑑みてなされたもので、その目的は、感光性記録媒体を収容する遮光ケースの接合部から進入する光量を大幅に低減させて、感光性記録媒体の感光を阻止し、これにより感光性記録媒体の劣化を防止することができる保管性に優れた感光性記録媒体用遮光ケース、および感光性記録媒体用遮光ケースに収容された性能劣化のない感光性記録媒体を提供することにある。
【課題を解決するための手段】
【００１１】
本発明の上記目的は、下記感光性記録媒体用遮光ケースおよび感光性記録媒体用遮光ケースに収容された感光性記録媒体によって達成される。
（１）  ディスク状の感光性記録媒体を外部から遮光した状態で収容するディスク収容室と、前記感光性記録媒体を前記ディスク収容室に収容し、あるいは前記ディスク収容室から取り出すための開口と、が設けられた感光性記録媒体用遮光ケースであって、前記感光性記録媒体用遮光ケースを構成する部材の接合部は、前記接合部から前記感光性記録媒体用遮光ケースの内部に進入する光がある場合、少なくとも１回反射した後に前記感光性記録媒体に到達するように遮光されていることを特徴とする感光性記録媒体用遮光ケース。
【００１２】
上記構成の感光性記録媒体用遮光ケースによれば、感光性記録媒体用遮光ケースを構成する部材の接合部が、少なくとも１回反射した反射光でなければ感光性記録媒体に到達できないように遮光されているので、収容している感光性記録媒体の感光が阻止されて劣化を防止することができる。また、カートリッジに収容されていない単体の感光性記録媒体を複数、積層させて感光性記録媒体用遮光ケースに収容することが可能となり、これにより狭いスペースに大量の感光性記録媒体を効率よく収容することができる。
【００１３】
（２）  略有底箱状の第１ケースと第２ケースとを有し、前記接合部が前記第１ケース第２ケースの端縁全周にそれぞれ設けられた突条同士を接合させて形成されていることを特徴とする上記（１）に記載の感光性記録媒体用遮光ケース。
【００１４】
上記構成の感光性記録媒体用遮光ケースによれば、略有底箱状の第１ケースと第２ケースに設けられた突条同士を、接合部からの直接光が感光性記録媒体に照射されないように接合させて形成されるので、突条の接合部から入射する光があっても、光量が大幅に低減された反射光以外の光は感光性記録媒体に到達しない。従って、感光性記録媒体の感光が阻止されて、劣化が防止される。
【００１５】
（３）  上記（１）又は（２）に記載の前記感光性記録媒体用遮光ケースの前記ディスク収容室に遮光された状態で収容されることを特徴とする感光性記録媒体。
【００１６】
上記構成の感光性記録媒体によれば、感光性記録媒体は、感光性記録媒体用遮光ケースに遮光された状態で収容、保管されるので、感光による劣化が防止される。また、複数枚の感光性記録媒体を裸のまま積層させて効率よく収容することができ、且つカートリッジ本体が不要となるので感光性記録媒体を安価に提供することができる。
【００１７】
（４）  前記感光性記録媒体は、ホログラム記録媒体であることを特徴とする上記（１）から（３）のいずれか１つに記載の感光性記録媒体用遮光ケースまたは感光性記録媒体。
【００１８】
上記構成の感光性記録媒体用遮光ケースまたは感光性記録媒体によれば、構造簡単な感光性記録媒体用遮光ケースにより、性能劣化のないホログラム記録媒体を安価に提供することができる。
【発明の効果】
【００１９】
本発明の感光性記録媒体用遮光ケースまたは感光性記録媒体によれば、感光性記録媒体を収容する遮光ケースの接合部から進入する光量を大幅に低減させて、感光性記録媒体の感光を阻止し、これにより感光性記録媒体の劣化を防止することができる保管性に優れた感光性記録媒体用遮光ケース、および感光性記録媒体用遮光ケースに収容された性能劣化のない感光性記録媒体を提供することができる。
【発明を実施するための最良の形態】
【００２０】
以下、本発明の実施形態を図面に基づいて詳しく説明する。
図１は本発明の実施形態であるホログラム記録媒体用遮光ケース（以下、遮光ケースと省略する）の斜視図、図２は遮光ケースの分解斜視図、図３は図１におけるＩＩＩ−ＩＩＩ矢視縦断面図、図４は図１におけるＩＶ−ＩＶ矢視横断面図である。
【００２１】
図１および図２に示すように、遮光ケース１０は、第１ケース１と第２ケース２とからなり、内部に形成されたディスク収容室３にホログラム記録媒体などの感光性記録媒体（以下、記録ディスクと称する）４が外部から遮光されて収容される。記録ディスク４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。
【００２２】
第１ケース１および第２ケース２は、例えば、ホログラム記録層の感応色を遮光するように遮光性物質が添加された同一または類似の熱可塑性プラスチックを用いて、射出成形により形成されている。
【００２３】
第１ケース１は、板状の底板１ａの端縁全周から矩形枠状の第１突条５が立設された有底の箱状部材である。第１突条５の開放側端縁からは、更に矩形枠状のリブ５ａが一体的に立設されて形成されている。第１突条５とリブ５ａとの内壁は同一面となっている。換言すれば、リブ５ａは、第１突条５の外周面が削除された形状となっており、断面略Ｌ字形の段部が形成されている。
【００２４】
第２ケース２は、板状の天板２ａに設けられたヒンジ部８を介して連続して形成された本体部６と蓋部７とを備える。ヒンジ部８は、天板２ａに形成された直線状の薄肉部であり、該薄肉部を中心として屈曲可能に本体部６と蓋部７とが接続されている。蓋部７を開くことにより、遮光ケース１０に記録ディスク４を出し入れするための開口１１が本体部６に形成される。第２ケース２は、本体部６と蓋部７とを接合させたとき（図１参照）、天板２ａの端縁全周から矩形枠状の第２突条９が立設された有底の箱状部材となる。第２突条９は、本体部６に形成された略コの字形の本体部突条９Ａと、蓋部７に形成された略コの字形の蓋部突条９Ｂとから構成される。
【００２５】
本体部突条９Ａおよび蓋部突条９Ｂには、開放側端縁からそれぞれ立設されたリブ９ａ、９ｂが、リブ５ａに対応して一体的に形成されている。リブ９ａ、９ｂと、本体部突条９Ａおよび蓋部突条９Ｂの外壁とは同一平面となっている。換言すれば、リブ９ａ、９ｂは、第２突条９Ａ，９Ｂの内周面が削除された形状となっており、断面略Ｌ字形のリブ５ａに対応する断面略逆Ｌ字形の段部が形成されている。
【００２６】
蓋部突条９Ｂの本体部突条９Ａと接合する端部には、突起リブ９ｃが側方に突出して形成されている。また、本体部突条９Ａの蓋部突条９Ｂと接合する端部には、段部９ｄが突起リブ９ｃに対応して形成されている。そして、蓋部７が閉じられて本体部６と接合したとき、突起リブ９ｃと段部９ｄとが嵌合する。
【００２７】
第１ケース１の上に第２ケース２を載せて、第１ケース１のリブ５ａの外周面に第２ケース２のリブ９ａ、９ｂの内周面を嵌合させながら、第１突条５と第２突条９（９Ａ，９Ｂ）とを接合させる。これにより、第１ケース１と第２ケース２の突条５，９、第１ケース１の底板１ａ、および第２ケース２の天板２ａとにより画成されてディスク収容室３が形成される。第１ケース１のリブ５ａと第２ケース２のリブ９ａとは、嵌合した後、超音波溶着などにより固着するようにしてもよい。これにより、第１ケース１と第２ケース２とが強固に接合されるため、両者の合せ目に隙間が開くようなことはない。
【００２８】
このような構成の遮光ケース１０は、図３に破線で示すように、蓋部７がヒンジ部８を中心として矢印Ａ方向に開放され、開口１１から記録ディスク４をディスク収容室３に収容し、蓋部７を図中実線で示すように閉じる。外部の光Ｌは、第１ケース１のリブ５ａと第２ケース２のリブ９ａ、９ｂとの接合部の隙間から内部に進入しようとするが、リブ５ａによって遮断されて直接進入することができない。即ち、光Ｌは、リブ５ａの外側面で反射した後、更にリブ９ａ、または９ｂの内側面で反射した光Ｌだけがディスク収容室３内に進入する。このように、ディスク収容室３（記録ディスク４）に到達する光Ｌは２回反射した反射光であるので、その光量は１／１０以下に低減されており、記録ディスク４を感光させることはない。
【００２９】
また、図４に示すように、本体部６の本体部突条９Ａと蓋部７の蓋部突条９Ｂとが接合する接合部は、突起リブ９ｃと段部９ｄとが嵌合して遮光されているので、上記と同様に突起リブ９ｃの外側面で反射した後、更に段部９ｄの内側面で反射した光Ｌだけがディスク収容室３内に進入する。従って、２回反射した反射光の光量は、１／１０以下に低減されており、記録ディスク４を感光させることはない。
【００３０】
尚、各接合部の遮光性は、光量を１／１００以下に低減できる性能を有するものが望ましい。また、好ましくは光量を１／１０００以下、更に好ましくは１／１００００以下に低減できる性能を有するものがよい。
【００３１】
次に、第１変形例を図５に基づいて説明する。図５は第１変形例の遮光ケースの図３相当部分の要部拡大断面図である。図５に示すように、第１変形例の遮光ケース２０の第１突条５および第２突条９の端縁は、それぞれ略４５°の角度で対応して傾斜する傾斜面５ｂ，９ｅとして形成されている。第１突条５と第２突条９との接合部から入射しようとする光Ｌは、第１突条５の傾斜面５ｂで反射し、更に第２突条９の傾斜面９ｅで反射して合計２回反射した後、ディスク収容室３に到達する。従って、反射光の光量は１／１０以下となっているので、記録ディスク４の感光が防止される。
【００３２】
第２変形例の遮光ケースについて図６に基づいて説明する。図６は第２変形例の遮光ケースの図３相当部分の要部拡大断面図である。図６に示すように、第２変形例の遮光ケース３０の第１ケース３１は板状に形成されており、第２ケース３２は第２突条９が下方に延設されており、その端縁は第１ケース３１の底板３１ａに対向している。記録ディスク４は、遮光ケース３０の高さ方向の中央、即ち、底板３１ａから離間して収容されているので、第１ケース３１の底板３１ａと第２ケース３２の第２突条９との接合部から直接内部に進入する光が、記録ディスク４に照射されることはない。底板３１ａで反射して光量が低減した反射光だけが記録ディスク４に達することができ、従って、記録ディスク４の感光が防止される。
【００３３】
上記説明においては、遮光ケースには、一枚の感光性記録媒体が収容されるものとして説明したが、複数枚の感光性記録媒体が収容されるようにしてもよい。この場合、感光性記録媒体が積層されるようにして収容することができ、効率よく保管することができる。また、遮光ケースは、感光性記録媒体を収容するものとして説明したが、感光性記録媒体だけに限定されず、感光性記録媒体を回転自在に収容するカートリッジを収容することもできる。この場合、感光性記録媒体は遮光ケースおよびカートリッジにより二重に遮光されているので、保管性が更に向上する。
【００３４】
また、第１ケースと第２ケースとの固着に超音波溶着を用いたが、その他の溶着方法及び固着方法を用いてもよい。例えば、ネジなどで固着する場合には、ネジ穴の周囲にもリブなどの遮光構造を形成するのが好ましい。また、感光性記録媒体として、ホログラム記録媒体を例に説明したが、その他の感光性を有する記録媒体にも本発明を適用することができる。
【図面の簡単な説明】
【００３５】
【図１】本発明の実施形態であるホログラム記録媒体用遮光ケースの斜視図である。
【図２】遮光ケースの分解斜視図である。
【図３】図１におけるＩＩＩ−ＩＩＩ矢視縦断面図である。
【図４】図１におけるＩＶ−ＩＶ矢視横断面図である。
【図５】第１変形例の遮光ケースの図３相当部分の要部拡大断面図である。
【図６】第２変形例の遮光ケースの図３相当部分の要部拡大断面図である。
【符号の説明】
【００３６】
１    第１ケース
２    第２ケース
３    ディスク収容室
４    記録ディスク（感光性記録媒体、ホログラム記録媒体）
５    第１突条
９    第２突条
１０，２０，３０    遮光ケース（感光性記録媒体用遮光ケース）
１１    開口
３１    第１ケース
３２    第２ケース
Ｌ    光
【図１】
2007080340.tif 000003
【図２】
2007080340.tif 000004
【図３】
2007080340.tif 000005
【図４】
2007080340.tif 000006
【図５】
2007080340.tif 000007
【図６】
2007080340.tif 000008